(57)【要約】  端末装置１は、セルによってサポートされるオンデマンドＳＩ（System information）を示すための情報を含むノンデマンドＳＩを受信し、前記セルによってサポートされるオンデマンドＳＩの送信を要求するためのシステム情報要求を送信し、前記オンデマンドＳＩは、前記システム情報要求に基づいて送信され、前記ノンデマンドＳＩは、前記システム情報要求とは関係なく送信される。
2017135042.tif 000002
【特許請求の範囲】
【請求項１】
セルによってサポートされるオンデマンドＳＩ（System information）のタイプを示すための情報を含むノンデマンドＳＩを受信する受信部と、
前記セルによってサポートされるタイプのオンデマンドＳＩの送信を要求するためのシステム情報要求を送信する送信部と、を備える
端末装置。
【請求項２】
前記オンデマンドＳＩは、前記システム情報要求に基づいて送信され、
前記ノンデマンドＳＩは、前記システム情報要求とは関係なく送信される
請求項１の端末装置。
【請求項３】
セルによってサポートされるオンデマンドＳＩ（System information）のタイプを示すための情報を含むノンデマンドＳＩを送信する送信部と、
前記セルによってサポートされるタイプのオンデマンドＳＩの送信を要求するためのシステム情報要求を受信する受信部と、を備える
基地局装置。
【請求項４】
前記オンデマンドＳＩは、前記システム情報要求に基づいて送信され、
前記ノンデマンドＳＩは、前記システム情報要求とは関係なく送信される
請求項３の基地局装置。
【請求項５】
端末装置に用いられる通信方法であって、
セルによってサポートされるオンデマンドＳＩ（System information）のタイプを示すための情報を含むノンデマンドＳＩを受信し、
前記セルによってサポートされるタイプのオンデマンドＳＩの送信を要求するためのシステム情報要求を送信する
通信方法。
【請求項６】
前記オンデマンドＳＩは、前記システム情報要求に基づいて送信され、
前記ノンデマンドＳＩは、前記システム情報要求とは関係なく送信される
請求項５の通信方法。
【請求項７】
基地局装置に用いられる通信方法であって、
セルによってサポートされるオンデマンドＳＩ（System information）のタイプを示すための情報を含むノンデマンドＳＩを送信し、
前記セルによってサポートされるタイプのオンデマンドＳＩの送信を要求するためのシステム情報要求を受信する
通信方法。
【請求項８】
前記オンデマンドＳＩは、前記システム情報要求に基づいて送信され、
前記ノンデマンドＳＩは、前記システム情報要求とは関係なく送信される
請求項７の通信方法。
【請求項９】
端末装置に実装される集積回路であって、
セルによってサポートされるオンデマンドＳＩ（System information）のタイプを示すための情報を含むノンデマンドＳＩを受信する受信回路と、
前記セルによってサポートされるタイプのオンデマンドＳＩの送信を要求するためのシステム情報要求を送信する送信回路と、を備える
集積回路。
【請求項１０】
前記オンデマンドＳＩは、前記システム情報要求に基づいて送信され、
前記ノンデマンドＳＩは、前記システム情報要求とは関係なく送信される
請求項９の集積回路。
【請求項１１】
基地局装置に実装される集積回路であって、
セルによってサポートされるオンデマンドＳＩ（System information）のタイプを示すための情報を含むノンデマンドＳＩを送信する送信回路と、
前記セルによってサポートされるタイプのオンデマンドＳＩの送信を要求するためのシステム情報要求を受信する受信回路と、を備える
集積回路。
【請求項１２】
前記オンデマンドＳＩは、前記システム情報要求に基づいて送信され、
前記ノンデマンドＳＩは、前記システム情報要求とは関係なく送信される
請求項１１の集積回路。
【発明の詳細な説明】
【技術分野】
【０００１】
本発明の一実施形態は、端末装置、基地局装置、通信方法、および、集積回路に関する。
【背景技術】
【０００２】
第三世代パートナーシッププロジェクト（3rd Generation Partnership Project: 3GPP）は、第４世代のセルラー移動通信の無線アクセス方式（以下、「Long Term Evolution （LTE、登録商標）」、または、「Evolved Universal Terrestrial Radio Access : EUTRA」と称する。）の標準化作業を行っている（非特許文献１、２、３、４、５）。【０００３】
３ＧＰＰにおいて、第５世代のセルラー移動通信の無線アクセス方式（以下、「ＮＸ」と称する。）の検討を開始した（非特許文献６、７）。３ＧＰＰにおいて、基地局装置がＮＸのシステム情報を送信する方法について検討されている。
【先行技術文献】
【非特許文献】
【０００４】
【非特許文献１】"3GPP TS 36.211 V13.0.0 (2015-12)", 6th January, 2016.
【非特許文献２】"3GPP TS 36.212 V13.0.0 (2015-12)", 6th January, 2016.
【非特許文献３】"3GPP TS 36.213 V13.0.0 (2015-12)", 6th January, 2016.
【非特許文献４】"3GPP TS 36.321 V13.0.0 (2015-12)", 14th January, 2016.
【非特許文献５】"3GPP TS 36.331 V13.0.0 (2015-12)", 7th January, 2016.
【非特許文献６】"5G - key component of the Networked Society", RWS-150009, Ericsson, 3GPP RAN Workshop on 5G, Phoenix, USA, 17th - 18th September 2015.
【非特許文献７】"5G Views on Technology & Standardization", RWS-150012, Qualcomm, 3GPP RAN Workshop on 5G, Phoenix, USA, 17th - 18th September 2015.
【発明の概要】
【発明が解決しようとする課題】
【０００５】
本発明の一実施形態は効率的にシステム情報が伝送される無線通信システム、該無線通信システムの基地局装置、該無線通信システムの基地局装置、該端末装置に用いられる通信方法、該基地局装置に用いられる通信方法、該端末装置に実装される集積回路、該基地局装置に実装される集積回路を提供する。
【課題を解決するための手段】
【０００６】
（１）本発明の態様は、以下のような手段を講じた。すなわち、本発明の第１の態様は、端末装置であって、セルによってサポートされるオンデマンドＳＩ（System information）のタイプを示すための情報を含むノンデマンドＳＩを受信する受信部と、前記セルによってサポートされるタイプのオンデマンドＳＩの送信を要求するためのシステム情報要求を送信する送信部と、を備える。【０００７】
（２）本発明の第２の態様は、基地局装置であって、セルによってサポートされるオンデマンドＳＩ（System information）のタイプを示すための情報を含むノンデマンドＳＩを送信する送信部と、前記セルによってサポートされるタイプのオンデマンドＳＩの送信を要求するためのシステム情報要求を受信する受信部と、を備える。【０００８】
（３）本発明の第３の態様は、端末装置に用いられる通信方法であって、セルによってサポートされるオンデマンドＳＩ（System information）のタイプを示すための情報を含むノンデマンドＳＩを受信し、前記セルによってサポートされるタイプのオンデマンドＳＩの送信を要求するためのシステム情報要求を送信する。【０００９】
（４）本発明の第４の態様は、基地局装置に用いられる通信方法であって、セルによってサポートされるオンデマンドＳＩ（System information）のタイプを示すための情報を含むノンデマンドＳＩを送信し、前記セルによってサポートされるタイプのオンデマンドＳＩの送信を要求するためのシステム情報要求を受信する。【００１０】
（５）本発明の第５の態様は、端末装置に実装される集積回路であって、セルによってサポートされるオンデマンドＳＩ（System information）のタイプを示すための情報を含むノンデマンドＳＩを受信する受信回路と、前記セルによってサポートされるタイプのオンデマンドＳＩの送信を要求するためのシステム情報要求を送信する送信回路と、を備える。【００１１】
（６）本発明の第６の態様は、基地局装置に実装される集積回路であって、セルによってサポートされるオンデマンドＳＩ（System information）を示すための情報を含むノンデマンドＳＩを送信する送信回路と、前記セルによってサポートされるオンデマンドＳＩの送信を要求するためのシステム情報要求を受信する受信回路と、を備える。
【発明の効果】
【００１２】
この発明によれば、システム情報が効率的に伝送される。
【図面の簡単な説明】
【００１３】
【図１】本実施形態の無線通信システムの概念図である。
【図２】本実施形態の無線フレームの構成の一例を示す図である。
【図３】本実施形態のスロットの概略構成を示す図である。
【図４】本実施形態におけるシステム情報要求の送信のためのリソースのセットの一例を示す図である。
【図５】本実施形態におけるシステム情報要求に関するプロシージャの一例を示すシーケンス図である。
【図６】本実施形態におけるシステム情報要求の再送信のプロセスの一例を示すシーケンス図である。
【図７】本実施形態におけるモニタリングウインドウの一例を示す図である。
【図８】本実施形態の端末装置１の構成を示す概略ブロック図である。
【図９】本実施形態の基地局装置３の構成を示す概略ブロック図である。
【発明を実施するための形態】
【００１４】
以下、本発明の実施形態について説明する。
【００１５】
図１は、本実施形態の無線通信システムの概念図である。図１において、無線通信システムは、端末装置１Ａ、端末装置１Ｂ、端末装置１Ｃ、および、基地局装置３を具備する。基地局装置３は、コアネットワーク装置を含んでもよい。端末装置１Ａ、端末装置１Ｂ、および、端末装置１Ｃを総称して、端末装置１と称する。
【００１６】
端末装置１の状態は、コネクション確立（connection establishment）プロシージャによって、ＲＲＣ＿ＩＤＬＥからＲＲＣ＿ＣＯＮＮＥＣＴＥＤに変更されてもよい。端末装置１の状態は、コネクション解放（connection release）プロシージャによって、ＲＲＣ＿ＣＯＮＮＥＣＴＥＤからＲＲＣ＿ＩＤＬＥに変更されてもよい。
【００１７】
ＲＲＣ＿ＩＤＬＥの端末装置１は、セル選択プロシージャによって１つのセルを選択し、該選択された１つのセルにキャンプしてもよい。
【００１８】
ＲＲＣ＿ＣＯＮＮＥＣＴＥＤの端末装置１に対して１つ、または複数のサービングセルが設定されてもよい。端末装置１が複数のサービングセルを介して通信する技術をセルアグリゲーション、またはキャリアアグリゲーションと称する。端末装置１に対して設定される複数のサービングセルのそれぞれにおいて、本発明の一実施形態が適用されてもよい。また、設定された複数のサービングセルの一部において、本発明の一実施形態が適用されてもよい。また、設定された複数のサービングセルのグループのそれぞれにおいて、本発明の一実施形態が適用されてもよい。また、設定された複数のサービングセルのグループの一部において、本発明の一実施形態が適用されてもよい。キャリアアグリゲーションにおいて、設定された複数のサービングセルを集約されたサービングセルとも称する。
【００１９】
設定された複数のサービングセルは、１つのプライマリーセルと１つまたは複数のセカンダリーセルとを含んでもよい。プライマリーセルは、初期コネクション確立（initial connection establishment）プロシージャが行なわれたセル、コネクション再確立（connection re-establishment）プロシージャを開始したセル、または、ハンドオーバプロシージャにおいてプライマリーセルと指示されたセルである。ＲＲＣ（Radio Resource Control）コネクションが確立された時点、または、後に、セカンダリーセルが設定されてもよい。
【００２０】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２１】
端末装置１は、集約される複数のサービングセル（コンポーネントキャリア）において、複数の物理チャネル／複数の物理シグナルの同時送信を行うことができる。端末装置１は、集約される複数のサービングセル（コンポーネントキャリア）において、複数の物理チャネル／複数の物理シグナルの同時受信を行うことができる。
【００２２】
図２は、本実施形態の無線フレームの構成の一例を示す図である。図２において、横軸は時間軸である。
【００２３】
それぞれの無線フレームは、時間領域において連続する１０のサブフレームを含んでもよい。それぞれのサブフレームｉは、時間領域において連続する２つのスロットを含んでもよい。該時間領域において連続する２つのスロットは、無線フレーム内のスロット番号nsが２ｉのスロット、および、無線フレーム内のスロット番号nsが２ｉ＋１のスロットであってもよい。それぞれの無線フレームは、時間領域において連続する１０のサブフレームを含んでもよい。それぞれの無線フレームは、時間領域において連続する２０のスロット（ns=0,1,…,19）を含んでもよい。上記の無線フレームの構成は、上りリンク、および、下りリンクの両方に適用されてもよい。
【００２４】
以下、本実施形態のスロットの構成について説明する。図３は、本実施形態のスロットの概略構成を示す図である。図３において、１つのサービングセルにおけるスロットの構成を示す。図３において、横軸は時間軸であり、縦軸は周波数軸である。図３において、ｌはシンボル番号／インデックスであり、ｋはサブキャリア番号／インデックスである。ここで、シンボルは、ＯＦＤＭ（Orthogonal Frequency Division Multiplexing）シンボル、または、ＳＣ−ＦＤＭＡ（Single Carrier Frequency Division Multiple Access）シンボルであってもよい。NSCは、セルの帯域幅に含まれるサブキャリアの総数である。Nsymbは、１つのスロットに含まれるシンボルの総数である。Nsymbは、サブキャリア間隔（subcarrier spacing）に基づいて与えられてもよい。
【００２５】
スロットのそれぞれにおいて送信される物理シグナルまたは物理チャネルは、リソースグリッドによって表現される。リソースグリッドは複数のサブキャリアと複数のシンボルによって定義される。リソースグリッド内のエレメントのそれぞれをリソースエレメントと称する。リソースエレメントａｋ，ｌは、サブキャリア番号／インデックスｋ、および、シンボル番号／インデックスｌによって表される。すなわち、物理シグナルまたは物理チャネルの送信のためのリソースは、リソースエレメントによって表現されてもよい。
【００２６】
リソースグリッドは、アンテナポート毎に定義されてもよい。本実施形態では、１つのアンテナポートに対する説明を行う。複数のアンテナポートのそれぞれに対して、本実施形態が適用されてもよい。
【００２７】
本実施形態のシステム情報について説明する。
【００２８】
ＲＲＣ（Radio Resource Control）層は、システム情報を報知する機能を持つ。システム情報は、（ａ）ＮＡＳ（Non Access Stratum）共通情報、（ｂ）ＲＲＣ＿ＩＤＬＥの端末装置１に対して適用可能な情報、（ｃ）ＲＲＣ＿ＣＯＮＮＥＣＴＥＤの端末装置１に対して適用可能な情報、（ｄ）ＲＲＣ＿ＩＤＬＥの端末装置１およびＲＲＣ＿ＣＯＮＮＥＣＴＥＤの端末装置１の両方に対して適用可能な情報、（ｅ）ＥＴＷＳ通知（Earthquake and Tsunami Warning System notification）、および、（ｆ）ＣＭＡＳ通知（CommercialMobile Alert Service notification）を含んでもよい。該ＲＲＣ＿ＩＤＬＥの端末装置１に対して適用可能な情報は、セル選択プロシージャのためのパラメータ、セル再選択のためのパラメータ、および、隣接セルの情報を含んでもよい。該ＲＲＣ＿ＣＯＮＮＥＣＴＥＤの端末装置１に対して適用可能な情報、および、該ＲＲＣ＿ＩＤＬＥの端末装置１およびＲＲＣ＿ＣＯＮＮＥＣＴＥＤの端末装置１の両方に対して適用可能な情報は、複数の端末装置１に対して共通であるチャネル設定のための情報を含んでもよい。ＥＴＷＳ通知、および、ＣＭＡＳ通知には、警告タイプを示すための情報が含まれてもよい。警告タイプは地震、または、津波に対応してもよい。
【００２９】
システム情報は、複数の情報ブロックに分割されてもよい。該情報ブロックを、ＭＩＢ（Master Information Block）、および、ＳＩＢ（System Information Block）と称してもよい。１つ、または、複数の情報ブロックは、システム情報メッセージによって伝送されてもよい。
【００３０】
以下、情報ブロックの一例を示す。複数の情報ブロックは、以下のＳＩタイプＡからＳＩタイプＯを含んでもよい。以下のＳＩタイプＡからＳＩタイプＯに含まれる情報は、異なる情報ブロックに含まれてもよい。以下のＳＩタイプＡからＳＩタイプＯに含まれる情報以外の情報が、以下のＳＩタイプＡからＳＩタイプの何れかに含まれてもよい。
【００３１】
ＳＩタイプＡは、セルからＳＩタイプＡ以外のシステム情報を取得するために必要な情報を含む。ＳＩタイプＡは、下りリンクにおけるセルの送信帯域幅設定を示すための情報、および、ＳＦＮ（System Frame Number）を示すための情報を含んでもよい。ＳＦＮは、無線フレームの番号である。
【００３２】
ＳＩタイプＢは、端末装置１がセルへのアクセスを許可されるかどうかを評価するために用いられる情報を含む。
【００３３】
ＳＩタイプＣは、システム情報要求（system information request）を伝送するためのチャネル設定のための情報を含んでもよい。該システム情報要求は、セル（基地局装置３）に特定のシステム情報（特定のＳＩタイプ、特定のＳＩタイプのグループ）の送信を要求するための情報である。該特定のシステム情報を、オンデマンドＳＩ（on demand System Information）と称する。
【００３４】
ＳＩタイプＤは、他のシステム情報のスケジューリングに関連する情報を含む。該他のシステム情報のスケジューリングに関連する情報は、ＳＩタイプＣ以外のＳＩタイプが送信される時間ウインドウを示すための情報を含んでもよい。該時間ウインドウは、ＳＩタイプ毎に定義されてもよい。ＳＩタイプＤは、あるＳＩタイプが送信されることができるサブフレームのセット、および／または、該あるＳＩタイプが送信されることができないサブフレームのセットを示してもよい。該サブフレームのセットは、複数のＳＩタイプに対して共通であってもよい。
【００３５】
ＳＩタイプＥは、複数のＵＥに対して共通である無線リソース設定のための情報を含む。
【００３６】
ＳＩタイプＦは、同じＲＡＴ（intra Radio Access Technology）におけるセル再選択のための情報を含む。
【００３７】
ＳＩタイプＧは、第１の他のＲＡＴ（inter Radio Access Technology）におけるセル再選択のための情報を含む。
【００３８】
ＳＩタイプＨは、第２の他のＲＡＴ（inter Radio Access Technology）におけるセル再選択のための情報を含む。
【００３９】
ＳＩタイプＩは、ＥＴＷＳ通知を含む。
【００４０】
ＳＩタイプＪは、ＣＭＡＳ通知を含む。
【００４１】
ＳＩタイプＫは、ＭＢＭＳ（Multimedia Broadcast Multicast Service）の情報を取得するために必要な情報を含む。ＭＢＭＳは、マルチキャストサービスを提供する機能である。複数のセル（基地局装置３）は同じ周波数／時間リソースにおいてマルチキャストサービスのデータを同時に報知してもよい。マルチキャストサービスのデータは、１つのセル（基地局装置３）によって報知されてもよい。
【００４２】
ＳＩタイプＬは、ＧＰＳ時（Global Positioning System time）、協定世界時（Coordinated Universal Time, UTC）に関連する情報を含む。端末装置１は、ＵＴＣ、ＧＰＳ（座標、地理的位置）、および、ローカル時刻を取得するために、ＳＩタイプＬに含まれる情報を用いてもよい。
【００４３】
ＳＩタイプＭは、セルラーネットワーク（例えば、ＮＸ）、および、ＷＬＡＮ（Wireless Local Area Network）の間のトラフィックステアリングのための情報を含む。
【００４４】
ＳＩタイプＮは、セル（基地局装置３）がサイドリンク通信（sidelink communication）プロシージャをサポートすることを示すための情報を含む。ＳＩタイプＮは、サイドリンク直接通信に関連するリソースを設定するための情報を含んでもよい。
【００４５】
ＳＩタイプＯは、セル（基地局装置３）がサイドリンク発見（sidelink discovery）プロシージャをサポートすることを示すための情報を含む。ＳＩタイプＯは、サイドリンク直接発見に関連するリソースを設定するための情報を含んでもよい。
【００４６】
サイドリンクは、サイドリンク通信、および、サイドリンク発見のための端末装置１間のインタフェースである。サイドリンク通信は、複数の近傍の端末装置１との間においてＰｒｏＳｅ直接通信（proximity based services direct communication）を可能にするＡＳ（Access Stratum）機能である。ＰｒｏＳｅ直接通信は、何れのネットワークノードも通過しないパス（path）を介する、近傍の複数の端末装置１の間における通信である。
【００４７】
サイドリンク発見は、ＰｒｏＳｅ直接発見（proximity based services direct discovery）を可能にするＡＳ機能である。ＰｒｏＳｅ直接発見は、直接無線信号（direct radio signal）を用いて、近傍の他の端末装置１を検出および特定するプロセス／プロシージャとして定義される。
【００４８】
ＳＩタイプＤは、セル（基地局装置３）によってサポートされる特定のＳＩタイプの送信、および／または、セル（基地局装置３）によってサポートされる特定の機能を示すための情報を含んでもよい。例えば、ＳＩタイプＤは、セル（基地局装置３）がサイドリンク通信、および／または、サイドリンク通信に関連するＳＩタイプＮの送信をサポートすることを示すための情報を含んでもよい。
【００４９】
システム情報は、オンデマンドＳＩ（on demand System Information）、ノンデマンドＳＩ（non demand System Information）に分類されてもよい。オンデマンドＳＩは、端末装置１からのシステム情報要求の受信／検出に基づいて、基地局装置３が送信するシステム情報である。ノンデマンドＳＩは、端末装置１からのシステム情報要求の受信／検出とは関係なく、基地局装置３が送信するシステム情報である。ノンデマンドＳＩは、周期的に送信されてもよい。ノンデマンドＳＩは、仕様書などによって予め定められたタイミング（サブフレーム）において送信されてもよい。第１のノンデマンドＳＩは、第２のノンデマンドＳＩによって示されるタイミング（サブフレーム）において送信されてもよい。
【００５０】
上記のＳＩタイプＡからＳＩタイプＯは、オンデマンドＳＩでもよい。上記のＳＩタイプＡからＳＩタイプＯは、ノンデマンドＳＩでもよい。上記のＳＩタイプＡからＳＩタイプＯの一部がオンデマンドＳＩであってもよく、残りがノンデマンドＳＩであってもよい。ＳＩタイプＡ、ＳＩタイプＢ、ＳＩタイプＣ、ＳＩタイプＤ、ＳＩタイプＩがノンデマンドＳＩであってもよく、それ以外のＳＩタイプがオンデマンドＳＩであってもよい。
【００５１】
本実施形態の物理チャネルおよび物理シグナルについて説明する。
【００５２】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＮＸ−ＰＢＣＨ（NX Physical Broadcast Channel）
・ＮＸ−ＰＤＣＣＨ（NX Physical Downlink Control Channel）
・ＮＸ−ＰＤＳＣＨ（NX Physical Downlink Shared Channel）
【００５３】
ＮＸ−ＰＢＣＨは、ノンデマンドＳＩを報知するために用いられてもよい。
【００５４】
ＮＸ−ＰＤＣＣＨは、ＮＸ−ＰＤＳＣＨのスケジューリングのために用いられる下りリンク制御情報（Narrow Band Downlink Control Information: DCI）、および、ＮＸ−ＰＵＳＣＨ（Narrow Band Physical Uplink Shared Channel）のスケジューリングのために用いられる下りリンク制御情報を送信するために用いられる。
【００５５】
ＮＸ−ＰＤＳＣＨは、下りリンクデータ（Downlink Shared Channel: DL-SCH）を送信するために用いられる。ＮＸ−ＰＤＳＣＨは、下りリンク制御情報を送信するために用いられてもよい。ＮＸ−ＰＤＳＣＨは、下りリンク制御情報、および、下りリンクデータを一緒に送信するために用いられてもよい。端末装置１は、下りリンク制御情報（ＮＸ−ＰＤＣＣＨ、ＮＸ−ＰＤＳＣＨ）の受信／検出に基づいて、ＮＸ−ＰＤＳＣＨをデコードしてもよい。端末装置１は、下りリンク制御情報（ＮＸ−ＰＤＣＣＨ、ＮＸ−ＰＤＳＣＨ）の受信／検出とは関係なく、ＮＸ−ＰＤＳＣＨをデコードしてもよい。
【００５６】
下りリンクデータは、オンデマンドＳＩ、および、ノンデマンドＳＩを含んでもよい。オンデマンドＳＩ、および、ノンデマンドＳＩは、異なるＮＸ−ＰＤＳＣＨにおいて送信されてもよい。すなわち、オンデマンドＳＩ、および、ノンデマンドＳＩは、同じＮＸ−ＰＤＳＣＨにおいて送信されなくてもよい。
【００５７】
図１において、基地局装置３から端末装置１への下りリンクの無線通信では、以下の下りリンク物理シグナルが用いられる。下りリンク物理シグナルは、上位層から出力された情報を送信するために使用されないが、物理層によって使用される。
・ＮＸ−ＳＳ（NX Synchronization Signal）
・ＮＸ−ＤＬ  ＲＳ（NX Downlink Reference Signal）
【００５８】
ＮＸ−ＳＳは、セルサーチのために用いられてもよい。セルサーチは、端末装置１がセルとの時間および周波数同期を取得し、且つ、セルのＰＣＩ（Physical layer Cell Identity）を検出するプロシージャである。ハンドオーバプロシージャにおいて、ターゲットセルのＰＣＩは、ソースセル（基地局装置３）から端末装置１に通知されてもよい。ハンドオーバコマンドにターゲットセルのＰＣＩを示すための情報が含まれてもよい。ＮＸ−ＳＳは、周期的に送信されてもよい。ＮＸ−ＳＳを、ＤＳ（discovery signal）と称してもよい。
【００５９】
ＮＸ−ＤＬ  ＲＳは、端末装置１がセルの下りリンク物理チャネルの伝搬路補正を行なうために用いられてもよい。ＮＸ−ＤＬ  ＲＳは、端末装置１がセルの下りリンクのチャネル状態情報を算出するために用いられてもよい。
【００６０】
図１において、基地局装置３から端末装置１への上りリンクの無線通信では、以下の上りリンク物理チャネルが用いられる。上りリンク物理チャネルは、上位層から出力された情報を送信するために、物理層によって使用される。
・ＮＸ−ＰＲＡＣＨ（NX Physical Random Access Channel）
・ＮＸ−ＰＵＣＣＨ（NX Physical Uplink Control Channel）
・ＮＸ−ＰＵＳＣＨ（NX Physical Uplink Shared Channel）
【００６１】
ＮＸ−ＰＲＡＣＨは、プリアンブル（プリアンブル系列）を伝送するために用いられる。ＮＸ−ＰＲＡＣＨは、ランダムアクセスプロシージャのために用いられてもよい。ＮＸ−ＰＲＡＣＨは、システム情報要求を送信するために用いられてもよい。すなわち、システム情報要求はプリアンブルでもよい。
【００６２】
ランダムアクセスプロシージャのためのＮＸ−ＰＲＡＣＨリソースのセット、および、システム情報要求を送信するためのＮＸ−ＰＲＡＣＨリソースのセットは個別に設定されてもよい。ランダムアクセスプロシージャのためのＮＸ−ＰＲＡＣＨリソースのセットを示す情報は、オンデマンドＳＩに含まれてもよい。システム情報要求を送信するためのＮＸ−ＰＲＡＣＨリソースのセットを示す情報は、ノンデマンドＳＩに含まれてもよい。
【００６３】
プリアンブルは、物理ルートシーケンスインデックスｕに対応するＺａｄｏｆｆ−Ｃｈｕ系列をサイクリックシフトすることによって与えられてもよい。Ｚａｄｏｆｆ−Ｃｈｕ系列は、物理ルートシーケンスインデックスｕに基づいて生成される。１つのセルにおいて、複数のプリアンブルが定義されてもよい。プリアンブルは、プリアンブルインデックスによって特定されてもよい。異なるプリアンブルインデックスに対応する異なるプリアンブルは、物理ルートシーケンスインデックスｕとサイクリックシフトの異なる組み合わせに対応する。
【００６４】
システム情報要求に対応するプリアンブルに対応する物理ルートシーケンスインデックスｕ、および、サイクリックシフトは、ノンデマンドＳＩに含まれる情報、および／または、ＰＣＩに少なくとも基づいて与えられてもよい。ランダムアクセスプロシージャに対応するプリアンブルに対応する物理ルートシーケンスインデックスｕ、および、サイクリックシフトは、オンデマンドＳＩに含まれる情報、および／または、ＰＣＩに少なくとも基づいて与えられてもよい。
【００６５】
システム情報要求に対応するプリアンブルは、ＮＸ−ＰＲＡＣＨ以外の物理チャネルで送信されてもよい。
【００６６】
物理ルートシーケンスインデックスｕに対応するＺａｄｏｆｆ−Ｃｈｕ系列ｘｕ（ｎ）は、以下の数式（１）によって与えられる。ｅはネイピア数である。ＮＺＣは、Ｚａｄｏｆｆ−Ｃｈｕ系列ｘｕ（ｎ）の長さである。ｎは、０からＮＺＣ−１までインクリメントされる整数である。
【００６７】
【数１】
2017135042.tif 000003
【００６８】
プリアンブル（プリアンブル系列）ｘｕ，ｖ（ｎ）は以下の数式（２）によって与えられる。Ｃｖは、サイクリックシフトの値である。Ｘ  ｍｏｄ  Ｙは、ＸをＹで割ったときの余りを出力する関数である。
【００６９】
【数２】
2017135042.tif 000004
【００７０】
ＮＸ−ＰＵＣＣＨは、上りリンク制御情報を送信するために用いられてもよい。上りリンク制御情報は、ＮＸ−ＰＤＳＣＨ（下りリンクデータ）に対応するＨＡＲＱ−ＡＣＫ（Hybrid Automatic Repeat reQuest ACKnowledgement）、および、チャネル状態情報を含んでもよい。
【００７１】
ＮＸ−ＰＵＳＣＨは、上りリンクデータ（Uplink Shared Channel: UL-SCH）、および／または、上りリンク制御情報を送信するために用いられてもよい。上りリンクデータは、システム情報要求を含んでもよい。
【００７２】
図１において、基地局装置３から端末装置１への上りリンクの無線通信では、以下の上りリンク物理シグナルが用いられる。上りリンク物理シグナルは、上位層から出力された情報を送信するために使用されないが、物理層によって使用される。
・ＮＸ−ＵＬ  ＲＳ（Narrow Band Downlink Reference Signal）
【００７３】
ＮＸ−ＵＬ  ＲＳは、基地局装置３がセルの上りリンク物理チャネルの伝搬路補正を行なうために用いられてもよい。
【００７４】
下りリンク物理チャネルおよび下りリンク物理シグナルを総称して、下りリンク信号と称する。上りリンク物理チャネルおよび上りリンク物理シグナルを総称して、上りリンク信号と称する。下りリンク物理チャネルおよび上りリンク物理チャネルを総称して、物理チャネルと称する。下りリンク物理シグナルおよび上りリンク物理シグナルを総称して、物理シグナルと称する。
【００７５】
ＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００７６】
トランスポートブロックは、ＳＲＢ（Signalling Radio Bearer）のデータ、および、ＤＲＢ（Data Radio Bearer）のデータを含んでもよい。ＳＲＢは、ＲＲＣ（Radio Resource Control）メッセージ、および、ＮＡＳ（Non Access Stratum）メッセージの送信のためのみに用いられる無線ベアラとして定義される。ＤＲＢは、ユーザデータを伝送する無線ベアラとして定義される。
【００７７】
基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Controlmessage、RRC information: Radio Resource Control informationとも称される）を送受信してもよい。また、基地局装置３と端末装置１は、媒体アクセス制御（MAC: Medium Access Control）層において、ＭＡＣ  ＣＥ（Control Element）を送受信してもよい。ここで、ＲＲＣシグナリング、および／または、ＭＡＣ  ＣＥを、上位層の信号（higherlayer signaling）とも称する。
【００７８】
以下、システム情報要求の送信のためのチャネル設定について説明する。
【００７９】
システム情報要求の送信のためのチャネル設定は、複数の端末装置１に対して共通であってもよい。ノンデマンドＳＩは、システム情報要求の送信のためのチャネルの設定のための情報を含んでもよい。システム情報要求の送信のためのチャネルの設定のための情報は、以下の情報Ａから情報Ｉの一部、または、全部を含んでもよい。
・情報Ａ：システム情報要求として、プリアンブル、メッセージ、または、プリアンブルとメッセージの両方の何れで送信するかを示すための情報
・情報Ｂ：システム情報要求の送信のための周波数／時間リソースを示すための情報
・情報Ｃ：プリアンブルに対応するＺａｄｏｆｆ−Ｃｈｕ系列の長さを示すための情報
・情報Ｄ：プリアンブルに対応する物理ルートシーケンスインデックスｕを示すための情報
・情報Ｅ： プリアンブルに対応するＺａｄｏｆｆ−Ｃｈｕ系列に適用されるサイクリックシフトを示すための情報
・情報Ｆ：システム情報要求の送信のために用いられるチャネルのサブキャリア間隔を示すための情報
・情報Ｇ：プリアンブルに適用されるＣＰ（Cyclic Prefix）の長さを示すための情報
・情報Ｈ：システム情報要求の１つの送信インスタンスにおいて、プリアンブル、または、メッセージが繰り返し送信される回数を示すための情報
・情報Ｉ：システム情報要求の送信のための送信電力をセットするために用いられるパラメータを示すための情報
【００８０】
図４は、本実施形態におけるシステム情報要求の送信のためのリソースのセットの一例を示す図である。図４において、横軸は時間軸であり、縦軸は周波数軸である。符号７００は、第１のセットに属するリソースを示す。符号７０１は、第２のセットに属するリソースを示す。リソース７００は、第１のＳＩタイプ、または、複数のＳＩタイプが属する第１のグループに対応してもよい。リソース７０１は、第２のＳＩタイプ、または、複数のＳＩタイプが属する第２のグループに対応してもよい。該第１のグループ、および、該第２のグループは、同じＳＩタイプを含んでもよい。尚、該第１のグループ、および、該第２のグループは、異なるＳＩタイプを含んでもよい。
【００８１】
システム情報要求の送信は、システム情報要求Ａの送信、および、システム情報要求Ｂの送信に分割されてもよい。図５は、本実施形態におけるシステム情報要求に関するプロシージャの一例を示すシーケンス図である。５００において、端末装置１は、システム情報要求Ａを基地局装置３に送信する。システム情報要求Ａは、ＮＸ−ＰＲＡＣＨにおいて送信されるプリアンブルであってもよい。５０１において、基地局装置３は、受信したプリアンブルに対応するリソースを割り当てるための情報（リソース割り当て）を送信する。５０２において、端末装置１は、受信したリソース割り当てに基づいて、システム情報要求Ｂを送信する。システム情報要求Ｂは、システム情報要求が対応するＳＩタイプ（情報ブロック）を示すためのメッセージ（情報ビット）を含んでもよい。５０３において、基地局装置３は、システム情報要求Ｂの受信に基づいて、システム情報要求Ｂによって示されるＳＩタイプのオンデマンドＳＩを送信してもよい。
【００８２】
以下、システム情報の更新について説明する。
【００８３】
基地局装置３は、システム情報変更（system information change）を送信してもよい。システム情報変更は、オンデマンドＳＩ、および／または、ノンデマンドＳＩを更新することを示してもよい。システム情報変更は、オンデマンドＳＩ、および／または、ノンデマンドＳＩを更新したことを示してもよい。ノンデマンドＳＩは、オンデマンドＳＩ、および、ノンデマンドＳＩが更新されるタイミングを示すための情報を含んでもよい。
【００８４】
ノンデマンドＳＩは、システム情報変更をモニタするためのサブフレームを示すための情報を含んでもよい。
【００８５】
システム情報変更は、ノンデマンドＳＩには含まれない。システム情報変更は、オンデマンドＳＩに含まれてもよい。システム情報変更は、ＮＸ−ＰＤＣＣＨ、または、ＮＸ−ＰＤＳＣＨに含まれてもよい。システム情報変更、および／または、オンデマンドＳＩは、更新されるＳＩタイプを示してもよい。端末装置１は、システム情報変更の受信に基づいて、更新されるＳＩタイプを示すためのオンデマンドＳＩのデコードを試みてもよい。
【００８６】
システム情報変更、および／または、オンデマンドＳＩが興味のあるオンデマンドＳＩの更新を示している場合、端末装置１は該興味のあるオンデマンドＳＩに対応するシステム情報要求を送信してもよい。
【００８７】
システム情報要求が対応するＳＩタイプ（情報ブロック）を決定する方法について説明する。
【００８８】
システム情報要求は、システム情報要求が対応するＳＩタイプ（情報ブロック）を示すためのメッセージ（情報ビット）を含んでもよい。この場合、システム情報要求は、上りリンクデータに含まれ、且つ、ＮＸ−ＰＵＳＣＨで送信されてもよい。端末装置１は、基地局装置３に送信を要求するＳＩタイプに基づいて、該メッセージ（情報ビット）の値をセットしてもよい。基地局装置３は、該メッセージ（情報ビット）の受信に基づいて、該情報ビットの値に対応するＳＩタイプを送信してもよい。該メッセージ（情報ビット）は、ＮＸ−ＰＵＳＣＨで送信されてもよい。
【００８９】
システム情報要求は上記のプリアンブルを含んでもよい。システム情報要求がプリアンブルである場合、プリアンブルインデックス（物理ルートシーケンスインデックスｕ、および、サイクリックシフトＣｖ）によって、システム情報要求が対応するＳＩタイプ（情報ブロック）が与えられてもよい。端末装置１は、基地局装置３に送信を要求するＳＩタイプに基づいて、プリアンブルインデックス（物理ルートシーケンスインデックスｕ、および、サイクリックシフトＣｖ）を決定してもよい。基地局装置３は、該プリアンブルインデックス（物理ルートシーケンスインデックスｕ、および、サイクリックシフトＣｖ）に対応するプリアンブルの受信に基づいて、該プリアンブルインデックスに対応するＳＩタイプを送信してもよい。ノンデマンドＳＩは、プリアンブルインデックス（物理ルートシーケンスインデックスｕ、および、サイクリックシフトＣｖ）とＳＩタイプの対応を示すための情報を含んでもよい。
【００９０】
システム情報要求が送信されるリソースによって、システム情報要求が対応するＳＩタイプ（情報ブロック）が与えられてもよい。基地局装置３は、システム情報要求の送信のためのリソースの複数のセットを示すためのノンデマンドＳＩを送信してもよい。該複数のセットのそれぞれは、異なるＳＩタイプに対応してもよい。すなわち、システム情報要求が対応するＳＩタイプのそれぞれに対して、リソースのセットが設定されてもよい。例えば、第１のＳＩタイプに対応するシステム情報要求を送信するためのリソースの第１のセット、および、第２のＳＩタイプに対応するシステム情報要求を送信するためのリソースの第２のセットは、個別に設定されてもよい。
【００９１】
端末装置１は、基地局装置３に送信を要求するＳＩタイプに基づいて、該複数のセットの中から１つのセットを選択してもよい。端末装置１は、該選択した１つのセットの中から、１つのリソースを選択してもよい。端末装置１は、該選択した１つのセットの中から、ランダムに１つのリソースを選択してもよい。
【００９２】
基地局装置３は、システム情報要求を受信したリソースに基づいて、該リソースに対応するＳＩタイプを送信してもよい。基地局装置３は、システム情報要求を受信したリソースが対応するリソースのセットに基づいて、該セットに対応するＳＩタイプを送信してもよい。
【００９３】
システム情報要求が送信されるリソースは、複数の端末装置１に対して共通であってもよい。システム情報要求が送信されるリソースを示すための情報は、複数の端末装置１に対して共通であるノンデマンドＳＩに含まれてもよい。
【００９４】
上述した複数の方法を組み合わせることによって、システム情報要求が対応するＳＩタイプ（情報ブロック）が決定されてもよい。例えば、メッセージ（情報ビット）の値、プリアンブルインデックス、物理ルートシーケンスインデックスｕ、サイクリックシフトＣｖ、および、システム情報要求が送信されるリソースの一部、または、全部によって、システム情報要求が対応するＳＩタイプ（情報ブロック）が決定されてもよい。
【００９５】
端末装置１は、ＮＸ−ＳＳに基づいて検出した識別子（例えば、セルのＰＣＩ、基地局装置３の識別子）、端末装置１の識別子、および／または、端末装置１が予め記憶している値に少なくとも基づいて、システム情報要求の送信のためのリソースの複数のセットの中から１つのセットを選択してもよい。端末装置１は、該選択した１つのセットの中から、１つのリソースを選択してもよい。端末装置１は、該選択した１つのセットの中から、ランダムに１つのリソースを選択してもよい。端末装置１が予め保持している値は、端末装置１が読み取り可能なメモリに予め記憶されている値であってもよい。
【００９６】
システム情報要求は、端末装置１の識別子（identity, identifier）、ノンデマンドＳＩによって示される識別子（identity, identifier）、および／または、端末装置１の地理的な位置を示すための情報を含んでもよい。基地局装置３は、該システム情報要求の受信に基づいて、セルの特定のエリアのみにおいてシステム情報を送信してもよい。
【００９７】
以下、システム情報要求の再送信について説明する。
【００９８】
図６は、本実施形態におけるシステム情報要求の再送信のプロセスの一例を示すシーケンス図である。６００において、端末装置１はシステム情報要求を、セル（基地局装置３）に送信する。６０１において、基地局装置３は、システム情報要求の受信に基づいて、モニタリングウインドウ６０３の間に、システム情報要求に対応するオンデマンドＳＩを送信する。６０２において、基地局装置３は、モニタリングウインドウ６０３の間に、該オンデマンドＳＩを再送信してもよい。
【００９９】
モニタリングウインドウ６０３は、端末装置１が、オンデマンドＳＩをモニタする期間である。オンデマンドＳＩをモニタすることは、オンデマンドＳＩ、または、オンデマンドＳＩを含むＮＸ−ＰＤＳＣＨのデコードを試みることを意味してもよい。オンデマンドＳＩをモニタすることは、オンデマンドＳＩをスケジューリングするために用いられる下りリンク制御情報に応じて、ＮＸ−ＰＤＣＣＨのデコードを試みることを意味してもよい。
【０１００】
端末装置１は、モニタリングウインドウ６０３のうち、一部のサブフレームにおいてオンデマンドＳＩをモニタしなくてもよい。端末装置１は、モニタリングウインドウ６０３のうち、該一部のサブフレーム以外のサブフレームにおいてオンデマンドＳＩをモニタしてもよい。基地局装置３は、モニタリングウインドウ６０３のうち、一部のサブフレームにおいてオンデマンドＳＩを送信しなくてもよい。基地局装置３は、モニタリングウインドウ６０３のうち、該一部のサブフレーム以外のサブフレームにおいてオンデマンドＳＩを送信してもよい。該一部のサブフレーム、および、該一部のサブフレーム以外のサブフレームを示すための情報が、ノンデマンドＳＩに含まれていてもよい。
【０１０１】
６０４において、端末装置１は、モニタリングウインドウ６０３の間にシステム情報要求が対応する全てのオンデマンドＳＩが成功裏にデコードできなかった場合、システム情報要求を再送信する。端末装置１は、モニタリングウインドウ６０３の間にシステム情報要求が対応する全てのオンデマンドＳＩが成功裏にデコードされた場合、システム情報要求を再送信しない。
【０１０２】
端末装置１は、システム情報要求の送信の回数をカウントしてもよい。端末装置１は、システム情報要求の再送信の回数をカウントしてもよい。送信の回数はカウンターによって管理されてもよい。端末装置１は、セル（基地局装置３）に要求するＳＩタイプが変更されたとしても、該カウンターをリセットしなくてもよい。端末装置１は、セル（基地局装置３）に要求するＳＩタイプが変更された場合に、該カウンターをリセットしてもよい。端末装置１は、セル（基地局装置３）に要求するＳＩタイプが特定のＳＩタイプに変更された場合のみ、該カウンターをリセットしてもよい。端末装置１は、セル（基地局装置３）に要求するＳＩタイプが何れのＳＩタイプに変更されたかに基づいて、該カウンターをリセットするかどうかを決定してもよい。端末装置１は、システム情報要求が対応する全てのオンデマンドＳＩを成功裏にデコードできた場合に、該カウンターを０にセットしてもよい。端末装置１は、システム情報要求情報の初期送信を行う直前に、該カウンターを０にセットしてもよい。
【０１０３】
端末装置１は、システム情報要求の初期送信に基づいてタイマーをスタートしてもよい。端末装置１は、セル（基地局装置３）に要求するＳＩタイプが変更されたとしても、該タイマーをリスタートしなくてもよい。端末装置１は、セル（基地局装置３）に要求するＳＩタイプが変更された場合に、該タイマーをリスタートしてもよい。端末装置１は、セル（基地局装置３）に要求するＳＩタイプが特定のＳＩタイプに変更された場合のみ、該タイマーをリスタートしてもよい。端末装置１は、セル（基地局装置３）に要求するＳＩタイプが何れのＳＩタイプに変更されたかに基づいて、該タイマーをリスタートするかどうかを決定してもよい。端末装置１は、該タイマーがランニングしている間にシステム情報要求の再送信を行ってもよい。端末装置１は、該タイマーがランニングしていない間にシステム情報要求の再送信を行わなくてもよい。端末装置１は、システム情報要求が対応する全てのオンデマンドＳＩを成功裏にデコードできた場合に、該タイマーをストップしてもよい。
【０１０４】
端末装置１は、システム情報要求の送信の回数が所定の値（最大値）に達した場合、または、上記のタイマーが満了した場合、以下のプロセスＡ、プロセスＢ、および、プロセスＣの一部、または、全部を実行してもよい。
・プロセスＡ：セル選択プロシージャを開始する
・プロセスＢ：端末装置１の上位層に、システム情報要求の送信に失敗したこと、オンデマンドＳＩの受信に失敗したこと、オンデマンドＳＩの更新に失敗したこと、ＲＲＣコネクション確立に失敗したこと、および／または、ＲＬＦ（Radio Link Failure）を通知する
・プロセスＣ：セル（基地局装置３）に、システム情報要求の送信に失敗したこと、オンデマンドＳＩの受信に失敗したこと、および／または、オンデマンドＳＩの更新に失敗したことをレポートする
【０１０５】
ＲＲＣ＿ＩＤＬＥの端末装置１は、システム情報要求の送信の回数が所定の値（最大値）に達した場合、または、上記のタイマーが満了した場合、プロセスＡ、および、プロセスＢを実行してもよく、プロセスＣを実行しなくてもよい。ＲＲＣ＿ＣｏＮＮＥＣＴＥＤの端末装置１は、システム情報要求の送信の回数が所定の値（最大値）に達した場合、または、上記のタイマーが満了した場合、プロセスＣを実行してもよく、プロセスＡ、および、プロセスＢを実行しなくてもよい。
【０１０６】
上記の所定の値（最大値）の設定に関する情報、および、上記のタイマーの設定に関する情報は、ノンデマンドＳＩに含まれてもよい。上記の所定の値（最大値）の設定に関する情報は、上記の所定の値（最大値）を示してもよい。上記のタイマーの設定に関する情報は、上記のタイマーの長さを示してもよい。
【０１０７】
上記の所定の値（最大値）、および、上記のタイマーの長さは、仕様書などによって予め定められていてもよい。上記の所定の値（最大値）は、１であってもよい。
【０１０８】
ＲＲＣ＿ＩＤＬＥの端末装置１の上位層は、ＲＬＦの原因がシステム情報要求の送信に失敗したこと、オンデマンドＳＩの受信に失敗したこと、および／または、オンデマンドＳＩの更新に失敗したことであることを記憶してもよい。ＲＲＣ＿ＩＤＬＥからＲＲＣ＿ＣＯＮＮＥＣＴＥＤになった端末装置１は、ＲＬＦの原因がシステム情報要求の送信に失敗したこと、オンデマンドＳＩの受信に失敗したこと、および／または、オンデマンドＳＩの更新に失敗したことによってＲＬＦになったことを、セル（基地局装置３）にレポートしてもよい。
【０１０９】
以下、モニタリングウインドウについて説明する。
【０１１０】
図７は、本実施形態におけるモニタリングウインドウの一例を示す図である。モニタリングウインドウ７００の開始時刻は、システム情報要求の送信時刻によって与えられてもよい。７０７は、システム情報要求の送信７０４、および、システム情報要求の送信７０４に対応するモニタリングウインドウ７００の間の期間を示す。符号７０７が示す期間の長さは、仕様書などによって予め定められてもよい。ノンデマンドＳＩは、符号７０７が示す期間の長さを示すための情報、および／または、モニタリングウインドウ７００の長さを示すための情報を含んでもよい。
【０１１１】
符号７０１は、第１のＳＩタイプのオンデマンドＳＩに対応するウインドウである。符号７０２は、第２のＳＩタイプのオンデマンドＳＩに対応するウインドウである。符号７０３は、第３のＳＩタイプのオンデマンドＳＩに対応するウインドウである。
【０１１２】
基地局装置３は、第１のＳＩタイプのオンデマンドＳＩに対応するウインドウ７０１の間に、第１のＳＩタイプのオンデマンドＳＩ７０５を送信してもよい。端末装置１は、第１のＳＩタイプのオンデマンドＳＩに対応するウインドウ７０１の間に、第１のＳＩタイプのオンデマンドＳＩ７０５をモニタしてもよい。基地局装置３は、第２のＳＩタイプのオンデマンドＳＩに対応するウインドウ７０２の間に、第２のＳＩタイプのオンデマンドＳＩ７０６を送信してもよい。端末装置１は、第２のＳＩタイプのオンデマンドＳＩに対応するウインドウ７０２の間に、第２のＳＩタイプのオンデマンドＳＩ７０６をモニタしてもよい。
【０１１３】
第ＸのＳＩタイプのオンデマンドＳＩに対応するウインドウは、ノンデマンドＳＩに含まれる情報によって与えられてもよい。第ＸのＳＩタイプのオンデマンドＳＩに対応するウインドウの期間は、システム情報要求の送信時刻とは関係なく与えられてもよい。第ＸのＳＩタイプのオンデマンドＳＩに対応するウインドウの期間は、開始時刻、終了時刻、ウインドウの長さ、繰返し周期などによって与えられてもよい。
【０１１４】
第ＸのＳＩタイプのオンデマンドＳＩに対応するウインドウの期間は、システム情報要求の送信時刻とは関係なく与えられてもよい。
【０１１５】
図６において、システム情報要求の送信７０４は、第１のＳＩタイプのオンデマンドＳＩ７０５、および、第２のタイプのオンデマンドＳＩ７０６の送信を要求している。端末装置１は、モニタリングウインドウ７００の間に、第１のタイプのオンデマンドＳＩ７０５、および、第２のタイプのオンデマンドＳＩ７０６を成功裏にデコードした場合、オンデマンドＳＩの受信に関する処理を終了してもよい。端末装置１は、モニタリングウインドウ７００の間に、第１のタイプのオンデマンドＳＩ７０５、および、第２のタイプのオンデマンドＳＩ７０６を成功裏にデコードしなかった場合、システム情報要求の再送信に関する処理を行ってもよい。
【０１１６】
モニタリングウインドウ７００は、モニタリングタイマーによって表現されてもよい。端末装置１は、時刻７０９においてモニタリングタイマーをスタートしてもよい。モニタリングタイマーは時刻７１０において満了する。端末装置１は、モニタリングタイマーの満了に基づいて、システム情報要求の再送信に関する処理を行ってもよい。端末装置１は、第１のタイプのオンデマンドＳＩ７０５、および、第２のタイプのオンデマンドＳＩ７０６を成功裏にデコードした場合、モニタリングタイマーをストップし、オンデマンドＳＩの受信に関する処理を終了してもよい。
【０１１７】
本実施形態において、ノンデマンドＳＩによって示される上述した情報は、ＮＸ−ＳＳによって示されてもよい。例えば、ノンデマンドＳＩによって示される上述した情報は、ＮＸ−ＳＳの系列、ＮＸ−ＳＳのリソース、および／または、ＮＸ−ＳＳと一緒に送信されるメッセージ（情報ビット）によって表現されてもよい。
【０１１８】
以下、本実施形態における装置の構成について説明する。
【０１１９】
図８は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベースバンド部１３を含んで構成される。上位層処理部１４は、媒体アクセス制御層処理部１５、および、無線リソース制御層処理部１６を含んで構成される。無線送受信部１０を送信部、受信部、または、物理層処理部とも称する。
【０１２０】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１２１】
上位層処理部１４が備える媒体アクセス制御層処理部１５は、媒体アクセス制御層の処理を行う。
【０１２２】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【０１２３】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【０１２４】
ＲＦ部１２は、アンテナ部１１を介して受信した信号を、直交復調によりベースバンド信号に変換し（ダウンコンバート: down covert）、不要な周波数成分を除去する。ＲＦ部１２は、処理をしたアナログ信号をベースバンド部に出力する。
【０１２５】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０１２６】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【０１２７】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１２８】
図９は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１２９】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１３０】
上位層処理部３４が備える媒体アクセス制御層処理部３５は、媒体アクセス制御層の処理を行う。
【０１３１】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システム情報、ＲＲＣメッセージ、ＭＡＣ  ＣＥ（Control Element）などを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１３２】
無線送受信部３０の機能は、無線送受信部１０と同様であるため説明を省略する。
【０１３３】
端末装置１が備える符号１０から符号１６が付された部のそれぞれは、回路として構成されてもよい。基地局装置３が備える符号３０から符号３６が付された部のそれぞれは、回路として構成されてもよい。
【０１３４】
以下、本実施形態における、端末装置１の態様について説明する。
【０１３５】
（１）本実施形態の第１の態様は、端末装置１であって、セルによってサポートされるオンデマンドＳＩ（System information）を示すための情報を含むノンデマンドＳＩを受信する受信部１０と、
前記セルによってサポートされるオンデマンドＳＩの送信を要求するためのシステム情報要求を送信する送信部１０と、を備える。
【０１３６】
（２）本実施形態の第１の態様において、前記オンデマンドＳＩは、前記システム情報要求に基づいて送信され、前記ノンデマンドＳＩは、前記システム情報要求とは関係なく送信される。
【０１３７】
（３）本実施形態の第２の態様は、基地局装置３であって、セルによってサポートされるオンデマンドＳＩ（System information）を示すための情報を含むノンデマンドＳＩを送信する送信部３０と、前記セルによってサポートされるオンデマンドＳＩの送信を要求するためのシステム情報要求を受信する受信部３０と、を備える。
【０１３８】
（４）本実施形態の第２の態様において、前記オンデマンドＳＩは、前記システム情報要求に基づいて送信され、前記ノンデマンドＳＩは、前記システム情報要求とは関係なく送信される。
【０１３９】
（５）本実施形態の第３の態様は、端末装置１であって、複数のオンデマンドＳＩ（System information）を受信する受信部１０と、前記複数のオンデマンドＳＩのうち、第１のオンデマンドＳＩの送信を要求するためのシステム情報要求を送信する送信部１０と、を備える。
【０１４０】
（６）本実施形態の第３の態様において、前記第１のオンデマンドＳＩの送信を要求するためのシステム情報要求は、システム情報要求の送信のためのリソースの複数のセットのうち、前記第１のオンデマンドＳＩに対応する第１のセットに属するリソースにおいて送信される。
【０１４１】
（７）本実施形態の第３の態様において、前記受信部１０は、前記複数のセットを示すための情報を含むノンデマンドＳＩを受信し、前記複数のセットは、少なくとも、前記第１のオンデマンドＳＩに対応する第１のセット、および、前記第２のオンデマンドＳＩに対応する第２のセットを含み、前記ノンデマンドＳＩは、前記システム情報要求とは関係なく送信される。
【０１４２】
（８）本実施形態の第３の態様において、前記第１のオンデマンドＳＩの送信を要求するためのシステム情報要求は、前記第１のオンデマンドＳＩに対応するプリアンブル系列を含む。
【０１４３】
（９）本実施形態の第３の態様において、前記受信部１０は、前記プリアンブル系列を示すための情報を含むノンデマンドＳＩを受信し、前記ノンデマンドＳＩは、前記システム情報要求とは関係なく送信される。
【０１４４】
（１０）本実施形態の第４の態様は、基地局装置３であって、複数のオンデマンドＳＩ（System information）を送信する送信部３０と、前記複数のオンデマンドＳＩのうち、第１のオンデマンドＳＩの送信を要求するためのシステム情報要求を受信する受信部３０と、を備える。
【０１４５】
（１１）本実施形態の第４の態様において、前記第１のオンデマンドＳＩの送信を要求するためのシステム情報要求は、システム情報要求の送信のためのリソースの複数のセットのうち、前記第１のオンデマンドＳＩに対応する第１のセットに属するリソースにおいて受信される。
【０１４６】
（１２）本実施形態の第４の態様において、前記送信部３０は、前記複数のセットを示すための情報を含むノンデマンドＳＩを送信し、前記複数のセットは、少なくとも、前記第１のオンデマンドＳＩに対応する第１のセット、および、前記第２のオンデマンドＳＩに対応する第２のセットを含み、前記ノンデマンドＳＩは、前記システム情報要求とは関係なく送信される。
【０１４７】
（１３）本実施形態の第４の態様において、前記第１のオンデマンドＳＩの送信を要求するためのシステム情報要求は、前記第１のオンデマンドＳＩに対応するプリアンブル系列を含む。
【０１４８】
（１４）本実施形態の第４の態様において、前記送信部３０は、前記プリアンブル系列を示すための情報を含むノンデマンドＳＩを受信し、前記ノンデマンドＳＩは、前記システム情報要求とは関係なく送信される。
【０１４９】
（１５）本実施形態の第５の態様は、端末装置１であって、複数のオンデマンドＳＩのうち、第１のオンデマンドＳＩの送信を要求するためのシステム情報要求を送信する送信部１０と、前記第１のオンデマンドＳＩの送信を要求するためのシステム情報要求の送信に基づいて、前記第１のオンデマンドＳＩをモニタする受信部１０と、を備え、前記第１のオンデマンドＳＩは、モニタリングウインドウに含まれる第１のウインドウの間にモニタされ、前記モニタリングウインドウの期間は、前記第１のオンデマンドＳＩの送信を要求するためのシステム情報要求の送信タイミングに少なくとも基づき、前記第１のウインドウは、ノンデマンドＳＩに含まれる情報に少なくとも基づいて与えられ、前記オンデマンドＳＩは、前記システム情報要求に基づいて送信され、前記ノンデマンドＳＩは、前記システム情報要求とは関係なく送信される。
【０１５０】
（１６）本実施形態の第５の態様において、前記第１のウインドウは、前記第１のオンデマンドＳＩの送信を要求するためのシステム情報要求の送信タイミングとは関係なく与えられる。
【０１５１】
（１７）本実施形態の第５の態様において、前記モニタリングウインドウの長さは、前記ノンデマンドＳＩに含まれる情報に基づいて与えられる。
【０１５２】
（１８）本実施形態の第６の態様は、基地局装置３であって、複数のオンデマンドＳＩのうち、第１のオンデマンドＳＩの送信を要求するためのシステム情報要求を受信する受信部３０と、前記第１のオンデマンドＳＩの送信を要求するためのシステム情報要求の受信に基づいて、前記第１のオンデマンドＳＩを送信する送信部３０と、を備え、前記第１のオンデマンドＳＩは、モニタリングウインドウに含まれる第１のウインドウの間に送信され、前記モニタリングウインドウの期間は、前記第１のオンデマンドＳＩの送信を要求するためのシステム情報要求の受信タイミングに少なくとも基づき、前記第１のウインドウは、ノンデマンドＳＩに含まれる情報に少なくとも基づいて与えられ、前記オンデマンドＳＩは、前記システム情報要求に基づいて送信され、前記ノンデマンドＳＩは、前記システム情報要求とは関係なく送信される。
【０１５３】
（１９）本実施形態の第６の態様において、前記第１のウインドウは、前記第１のオンデマンドＳＩの送信を要求するためのシステム情報要求の送信タイミングとは関係なく与えられる。
【０１５４】
（２０）本実施形態の第６の態様において、前記モニタリングウインドウの長さは、前記ノンデマンドＳＩに含まれる情報に基づいて与えられる。
【０１５５】
これにより、システム情報が効率的に伝送される。
【０１５６】
本発明の一実施形態に関わる基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１５７】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１５８】
本発明の一実施形態に関わる装置で動作するプログラムは、本発明の一実施形態に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１５９】
尚、上述した実施形態における装置の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現してもよい。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであってもよい。
【０１６０】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１６１】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントローラ、マイクロコントローラ、またはステートマシンであってもよい。汎用用途プロセッサ、または前述した各回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１６２】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１６３】
以上、この発明の実施形態に関して図面を参照して詳述してきたが、具体的な構成はこの実施形態に限られるものではなく、この発明の要旨を逸脱しない範囲の設計変更等も含まれる。また、本発明の一実施形態は、請求項に示した範囲で種々の変更が可能であり、異なる実施形態にそれぞれ開示された技術的手段を適宜組み合わせて得られる実施形態についても本発明の一実施形態の技術的範囲に含まれる。また、上記各実施形態に記載された要素であり、同様の効果を奏する要素同士を置換した構成も含まれる。
【０１６４】
（関連出願の相互参照）
本出願は、2016年2月4日に出願された特願2016-019542に対して優先権の利益を主張するものであり、当該出願を参照することにより、その内容の全てが本書に含まれる。
【符号の説明】
【０１６５】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2017135042.tif 000005
【図２】
2017135042.tif 000006
【図３】
2017135042.tif 000007
【図４】
2017135042.tif 000008
【図５】
2017135042.tif 000009
【図６】
2017135042.tif 000010
【図７】
2017135042.tif 000011
【図８】
2017135042.tif 000012
【図９】
2017135042.tif 000013
【国際調査報告】
2017135042.tif 000014
2017135042.tif 000015
2017135042.tif 000016
2017135042.tif 000017